(57)【特許請求の範囲】
【請求項１】
制作予定映像の構成確認のためにリハーサル用動画を生成するリハーサル用動画生成システムにおいて、
前記制作予定映像の生成に使用する一つ以上の画像生成装置と、各画像生成装置の使用予定時間と、を定めた映像制作案を保持する映像制作案保持手段と、
前記リハーサル用動画の前記制作予定映像に対する時間圧縮率を設定する時間圧縮率設定手段と、
前記各画像生成装置の使用予定時間に時間圧縮率を乗算し、リハーサル用時間割を作成する時間割作成手段と、
前記各画像生成装置が出力する各々の画像から前記使用予定時間に前記時間圧縮率を乗算した時間分の画像を抽出し、当該抽出した各画像を前記リハーサル用時間割に沿って繋ぎ合わせ、前記リハーサル用動画を生成する動画生成手段と、
を有することを特徴とするリハーサル用動画生成システム。
【請求項２】
前記各画像生成装置の各々に対応するイメージ画像が保存されている記憶装置と、
前記リハーサル用動画を構成する素材の供給元として、前記各画像生成装置又は前記記憶装置のいずれかを選択する選択手段とを有し、
前記選択手段により前記記憶装置が選択された場合、前記動画生成手段は、前記記憶装置から各画像生成装置の各々に対するイメージ画像を前記使用予定時間に前記時間圧縮率を乗算した時間分だけ抽出し、当該抽出した各画像を前記リハーサル用時間割に沿って繋ぎ合わせ、前記リハーサル用動画を生成する
ことを特徴とする請求項１に記載のリハーサル用動画生成システム。
【発明の詳細な説明】
【０００１】
【発明の属する技術分野】
本発明は動画生成システムに関し、特に制作予定映像の構成確認のためにリハーサル用動画を生成するリハーサル用動画生成システムに関する。
【０００２】
【従来の技術】
近年、コンピュータ内における動画等の扱いが進歩し、Ｑｕｉｃｋ  Ｔｉｍｅ（米アップルコンピュータ社が開発した動画を扱うソフトウェア）等のソフトウェアを利用して、映像や音声を自由に再生することが可能となっている。これは、ハードディスク等を用いたＡＶサーバ上に映像・音声信号を記録し、必要な位置から必要な速さで信号の再生ができるというもので、ノンリニアと呼ばれる編集方法を可能にした。
【０００３】
ところで、一般に、放送局やＣＡＴＶ等で制作される番組の映像は、予め作成された映像制作案に基づいてビデオテープやスタジオのカメラ等からの画像を組み合わせ、構成されている。そして番組を流す前には、番組中の時間のバランスやカメラの角度等、その構成が制作意図に沿っているかどうかを、確認する必要がある。
【０００４】
従来、この番組構成の確認には、映像制作案からその様子を想像するか、もしくは本放送に則したリハーサルを行うか、といった方法が取られていた。映像制作案には、文章等の文字列やカメラやＶＴＲを意味するアイコン等が表記されているため、ある程度の類推は可能であるとされている。
【０００５】
【発明が解決しようとする課題】
しかし、映像制作案から番組構成の様子を的確に想像することは、実際には難しい。また、本放送に則したリハーサルを行った場合、番組構成の確認だけのために本放送とほぼ同じ時間がかかってしまい、なおかつその間、放送用の器材や人材がリハーサルだけのために占有されてしまう。
【０００６】
本発明はこのような点に鑑みてなされたものであり、任意の時間長に圧縮したリハーサル用動画を生成することの可能なリハーサル用動画生成システムを提供することを目的とする。
【０００７】
また、本発明の別の目的は、放送用器材を使用せずにリハーサル用動画を生成することの可能なリハーサル用動画生成システムを提供することである。
【０００８】
【課題を解決するための手段】
本発明では上記課題を解決するために、制作予定映像の構成確認のためにリハーサル用動画を生成するリハーサル用動画生成システムにおいて、前記制作予定映像の生成に使用する一つ以上の画像生成装置と、各画像生成装置の使用予定時間と、を定めた映像制作案を保持する映像制作案保持手段と、前記リハーサル用動画の前記制作予定映像に対する時間圧縮率を設定する時間圧縮率設定手段と、前記各画像生成装置の使用予定時間に時間圧縮率を乗算し、リハーサル用時間割を作成する時間割作成手段と、前記各画像生成装置が出力する各々の画像から前記使用予定時間に前記時間圧縮率を乗算した時間分の画像を抽出し、当該抽出した各画像を前記リハーサル用時間割に沿って繋ぎ合わせ、前記リハーサル用動画を生成する動画生成手段と、を有することを特徴とする。
【０００９】
このようなリハーサル用動画生成システムでは、実際の画像生成装置（実機）の使用予定時間に時間比率（時間圧縮率）を乗算した時間分の画像を繋ぎ合わせて、所定の時間長に圧縮されたリハーサル用動画が生成される。よって、構成確認のためだけに、本放送と同じ時間、放送用器材や人手を割く必要がない。
【００１０】
また、本発明の他の側面は、上記リハーサル用動画生成システムにおいて、前記各画像生成装置の各々に対応するイメージ画像が保存されている記憶装置と、前記リハーサル用動画を構成する素材の供給元として、前記各画像生成装置又は前記記憶装置のいずれかを選択する選択手段とを有し、前記選択手段により前記記憶装置が選択された場合、前記動画生成手段は、前記記憶装置から各画像生成装置の各々に対するイメージ画像を前記使用予定時間に前記時間圧縮率を乗算した時間分だけ抽出し、当該抽出した各画像を前記リハーサル用時間割に沿って繋ぎ合わせ、前記リハーサル用動画を生成することを特徴とする。
【００１１】
このようなリハーサル用動画生成システムでは、放送用器材を使用せずに、実際の画像生成装置の使用予定時間に時間比率（時間圧縮率）を乗算した時間分のイメージ画像を繋ぎ合わせて、所定の時間長に圧縮されたリハーサル用動画が生成される。よって、映像制作案を、その構成を確認しながら簡単に推敲することができる。
【００１４】
【発明の実施の形態】
まず、本発明の原理構成を図を参照して説明する。
図１は本発明のリハーサル用動画生成システムの原理構成図である。本発明のリハーサル用動画生成システムは、制作予定映像の構成確認のために、リハーサル用動画を生成する。
【００１５】
本発明のリハーサル用動画生成システムは、イメージ画像提供手段１と、映像制作案保持手段２と、時間圧縮率設定手段３と、時間割作成手段４と、動画生成手段５と、から構成されている。
【００１６】
イメージ画像提供手段１は、複数の画像生成装置の各々に対応したイメージ画像を提供する。映像制作案保持手段２は映像制作案２ａを保持している。ここで映像制作案２ａは、制作予定映像の生成に使用する一つ以上の使用予定装置と、各使用予定装置の使用予定時間とを予め定めたものである。時間圧縮率設定手段３は、リハーサル用動画の制作予定映像に対する時間圧縮率を設定する。そして時間割作成手段４は、各使用予定装置の使用予定時間に時間圧縮率を乗算して、リハーサル用時間割４ａを作成する。動画生成手段５が、イメージ画像提供手段１から提供されるイメージ画像を、リハーサル用時間割４ａに沿って繋ぎ合わせ、リハーサル用動画を生成する。
【００１７】
このようなリハーサル画像生成システムによって、任意の時間長に圧縮されたリハーサル用動画が生成される。従って、構成確認のためだけに、本放送と同じ時間、放送用器材や人手を割く必要がない。
【００１８】
以下、本発明の実施の形態を図面を参照して説明する。
図２は、本発明のリハーサル用動画生成システムの第１の実施の形態を示す構成ブロック図である。
【００１９】
図に示したリハーサル用動画生成装置３０はコンピュータであり、従来から使用されている放送用器材制御装置２０に接続して使用する。放送用器材制御装置２０には放送用器材として、スイッチャ１２、文字生成装置１３、静止画像生成装置１４、ビデオテープレコーダ（ＶＴＲ）１５、スタジオカメラ１６、時刻生成機１７が接続されている。このうち、特に、文字生成装置１３、静止画像生成装置１４、ＶＴＲ１５、スタジオカメラ１６を画像生成装置と呼ぶ。なお、スタジオカメラは複数台あってもよい。この場合、複数台のスタジオカメラは、すべてスイッチャ１２に接続される。
【００２０】
文字生成装置１３は、放送用器材制御装置２０からの制御に基づいて文字を生成し、生成した文字をスイッチャ１２に入力する。また、静止画像生成装置１４は、放送用器材制御装置２０からの制御に基づいて静止画を生成し、生成した静止画像をスイッチャ１２に入力する。ビデオテープレコーダ（ＶＴＲ）１５は、放送用器材制御装置２０からの制御に基づいてビデオテープに記録された映像を再生し、再生した映像をスイッチャ１２に入力する。そしてスタジオカメラ１６は、スタジオで撮影した映像をスイッチャ１２に入力する。
【００２１】
スイッチャ１２は、後述する放送用器材制御装置２０から送信される切替制御指令に基づいて、入力される映像から必要な画像を選択する。そして、そのままで、もしくは他の画像生成装置からの入力画像と合成して繋ぎ合わせ、放送用の映像を生成する。分配機１１はスイッチャ１２から入力された放送用の映像を、リハーサル用動画生成装置３０と、放送用機構とに配分する。
【００２２】
放送用器材制御装置２０は、上述の画像生成装置を制御する機能を持ち、ＣＰＵ２１と、ＣＰＵ２１と画像生成装置との間で命令の送受信を行うインタフェース（Ｉ／Ｆ）２２〜２５とを構成要素として含む。
【００２３】
ここでＩ／Ｆ２２は、ＣＰＵ２１とスイッチャ１２との間で、切替制御指令等の送受信に使用される。また、Ｉ／Ｆ２３は、ＣＰＵ２１と文字生成装置１３との間で、Ｉ／Ｆ２４は、ＣＰＵ２１と静止画像生成装置１４との間で命令の送受信に使用される。Ｉ／Ｆ２５は、ＣＰＵ２１とＶＴＲ１５との間で命令の送受信にに使用される。
【００２４】
放送用器材制御装置２０はまた、ＣＰＵ２１の動作に使用するワークメモリ２８と、時刻変換回路２７と、インタフェース（Ｉ／Ｆ）２６とを構成要素として含む。
【００２５】
時刻変換回路２７は、外部から入力される時刻信号をＣＰＵ２１で利用できる形式に変換する。Ｉ／Ｆ２６は、ＣＰＵ２１とリハーサル用動画生成装置との間でデータの送受信を行う。
【００２６】
Ｉ／Ｆ２２〜２６は、具体的にはＲＳー２３２Ｃである。通常、Ｉ／Ｆ２６を介して映像制作案を入力されたＣＰＵ２１は、これらのＩ／Ｆ２２〜２５を介して各画像生成装置を制御するとともに、スイッチャ１２に切替制御指令を出力する。なお、ＣＰＵ２１には時刻変換回路２７を介して時刻生成器１７から時刻信号が入力されており、この時刻信号に基づいて、すべての処理を行う。
【００２７】
リハーサル用動画生成装置３０は、外部からの各種入力を受け付ける入力部３１と、リハーサル用画像等を表示する表示部３２と、ハードディスク装置（ＨＤ）３３と、動画生成制御部３４と、から構成されている。
【００２８】
入力部３１は、具体的にはマウス等のポインティングデバイスや、キーボードである。また、表示部３２としては、ディスプレイ等が利用しやすい。そして、ＨＤ３３には予め、映像制作案や、各種画像生成装置に対応するイメージ画像等が、格納されている。
【００２９】
動画生成制御部３４には、ＣＰＵ３５と、ＣＰＵ３５とＨＤ３３との間で命令およびデータの送受信を行うＳＣＳＩ（Small Computer System Interface ）規格のインタフェース（Ｉ／Ｆ）３７とが構成要素として含まれている。
【００３０】
また、画像／音声データをＣＰＵ３５に取り込むキャプチャーボード３６、ＣＰＵ３５の動作に使用するメモリ３８、ＣＰＵ３５と放送用器材制御装置２０との間でデータの送受信を行うインタフェース（Ｉ／Ｆ）３９も、動画生成制御部３４の構成要素である。
【００３１】
ここで、図１に示す構成と図２に示す構成との対応関係について述べる。
図２に示したリハーサル用動画生成システムには二通りの使い方がある。
その第１の使い方は、図２に示したＨＤ３３を、図１に示したイメージ画像提供手段１として利用する方法である。この場合ＨＤ３３は、図１に示した映像制作案保持手段２にも対応する。そして図２に示したＣＰＵ３５が、図１に示した時間圧縮率設定手段３と時間割作成手段４と動画生成手段５とに対応する。第１の使い方についての詳しい説明は、図６，７にて行う。
【００３２】
本実施の形態のリハーサル用動画生成システムの第２の使い方は、図２に示した画像生成装置１３〜１６を、図１に示したイメージ画像提供手段１として利用する方法である。この場合、図２に示したＨＤ３３は、図１に示した映像制作案保持手段２に対応する。図２に示したＣＰＵ３５は、図１に示した時間圧縮率設定手段３に対応する。そして、図２に示したＣＰＵ２１が図１に示した時間割作成手段４に対応し、図２に示したスイッチャ１２が図１に示した動画生成手段５に対応する。第２の使い方についての詳しい説明は、図８，９にて行う。
【００３３】
これら二通りの使い方は、入力部３１およびＣＰＵ３５にて選択できるように構成されている。この選択の方法については、図４，５にて説明する。
このような構成のリハーサル用動画生成システムにてリハーサル用動画を生成する場合、まず入力部３１にて放送日と番組名とを指定し、ＨＤ３３から映像制作案を呼び出し、表示部３２に表示させる。
【００３４】
なお、本実施の形態では、放送方式としてＮＴＳＣ（National Television System Committee）信号方式が採用されているものとする。従って、リハーサル用動画の生成には、画像を１秒間に３０フレーム繋ぎ合わせる。
【００３５】
図３は、図２に示した表示部３２に表示される、映像制作案呼び出し画面の一例を示す図である。
映像制作案呼び出し画面４０には、その映像制作案の番組名を表示する番組名表示４１と、番組表４２とが表示され、開始ボタン４３と、停止ボタン４４と、終了ボタン４５と、リハーサルボタン４６と、リハーサルMovie 作成ボタン４７と、リハーサルMovie 再生ボタン４８とが設置されている。
【００３６】
映像制作案は、予め作成されたものが、放送日と番組名とに基づいてＨＤ３３に格納されている。そして、この映像制作案から、全イベントに関するＯＡ（On Air）時刻と枠区分、ＩＤ（Identification；そのイベントの登録名）、ＤＵＲ（Duration；そのイベントの時間長）、素材機、備考が抽出され、番組表４２となる。
【００３７】
開始ボタン４３は、この番組表４２に基づいて放送を開始するよう放送用器材制御装置２０に指示するためのボタンであり、停止ボタン４４は、この番組の放送の停止を、終了ボタン４５は、この番組の放送の終了を指示するためのボタンである。また、リハーサルボタン４６は、この番組のリハーサルを放送用器材制御装置２０に指示するためのボタンである。
【００３８】
リハーサルMovie 作成ボタン４７は、リハーサル用動画として「リハーサルMovie 」ファイルを作成する指示を出すためのボタンであり、リハーサルMovie 再生ボタン４８は、作成された「リハーサルMovie 」ファイルを再生する指示を出すためのボタンである。
【００３９】
図４は、図３に示した映像制作案呼び出し画面４０において、リハーサルMovie 作成ボタン４７を選択した場合に表示されるリハーサルMovie 設定画面を示した図である。
【００４０】
リハーサルMovie 設定画面５０には、実機未使用を指定するチェックボックス５１と、実機使用を指定するチェックボックス５２と、時間比率指定を有効にするチェックボックス５３と、時間比率を指定する時間比率設定部５４と、設定終了を通知する「ＯＫ」ボタン５５と、設定キャンセルを通知する「キャンセル」ボタン５６とが配置されている。
【００４１】
ここで言う実機未使用とは、実際の放送用器材を使用しないことであり、先に述べた、このリハーサル用動画生成システムの第１の使い方にあたる。また、実機使用とは、実際の放送用器材を使用することであり、先に述べた、このリハーサル用動画生成システムの第２の使い方にあたる。「リハーサルMovie 」ファイルが作成される場合には、このリハーサルMovie 設定画面５０にて実機未使用か実機使用かが必ず選択される。
【００４２】
時間比率を指定する時は、時間比率指定を有効にするチェックボックス５３にチェックを付加し、時間比率設定部５４に時間比率を入力する。チェックボックス５３にチェックがない場合、時間比率は１：１とされる。
【００４３】
実機未使用のチェックボックス５１もしくは実機使用のチェックボックス５２にチェックが付加された後、「ＯＫ」ボタンが選択されると、「リハーサルMovie 」ファイルの作成が開始される。
【００４４】
図３に示した映像制作案呼び出し画面４０にて、開始ボタン４３が選択されると、ＣＰＵ３５は、番組表４２から放送用プレイリストを作成する。また、リハーサルボタン４６が選択されると、ＣＰＵ３５は、番組表４２からリハーサル用プレイリストを作成する。同様に、図４に示したリハーサルMovie 設定画面にて「ＯＫ」ボタンが選択されると、リハーサルMovie 作成用プレイリストを作成する。
【００４５】
図５は、番組表４２から作成されるプレイリストの構造を示した図であって、（Ａ）は放送用プレイリスト、（Ｂ）は実機使用、時間比率指定「１：１０」に設定された「リハーサルMovie 」ファイル作成用プレイリストを示す。
【００４６】
プレイリストには、まずリストタイプが、それから放送時間、素材機等が記載される。開始ボタン４３が選択された場合にはリストタイプとして「通常」を表わす「NOR 」が記載され、「TYPE=NOR」となる。また、リハーサルボタン４６が選択された場合にはリストタイプとして「リハーサル」を表わす「REH 」が記載され、「TYPE=REH」となる。同様に、リハーサルMovie 作成ボタン４７が選択され、実機使用とされた場合には「TYPE=REH-M-WITH-DEV 」、実機未使用とされた場合には「TYPE=REH-M-WITHOUT-DEV」となる。
【００４７】
つまり、このリハーサル用動画生成システムを第１の使い方で利用する場合、リストタイプは「REH-M-WITHOUT-DEV 」になり、第２の使い方で利用する場合、リストタイプは「REH-M-WITH-DEV」になる。
【００４８】
「リハーサルMovie 」ファイル作成において時間比率設定を有効にすると、リストタイプに続けて時間比率が記載される。例えば、時間比率１：１０に設定した場合、実機使用ならば「TYPE=REH-M-WITH-DEV,T-RATE=10 」、実機未使用ならば「TYPE=REH-M-WITHOUT-DEV,T-RATE=10」と記載される。
【００４９】
作成されたプレイリストは、一旦動画生成制御部３０のＣＰＵ３５にて解析される。そして、プレイリストに記載されたリストタイプが、「NOR 」か、「REH 」か、あるいは「REH-M-WITH-DEV」であった場合、ＣＰＵ３５はＩ／Ｆ３９、Ｉ／Ｆ２６を介し、放送用器材制御装置２０のＣＰＵ２１にプレイリストを通知する。
【００５０】
ＣＰＵ２１は、プレイリストを通知されると、その解析を行う。そして、リストタイプが「NOR 」であった場合には、指定の時刻に指定の映像を出力するよう、接続されているすべての放送用器材を制御する。また、リストタイプが「REH 」であった場合には、指定時刻に関係なく、すぐにリハーサルを開始する。このリハーサルは、時刻以外、使用機器も時間長も、本放送と全く同じものである。
【００５１】
次に、リストタイプが「REH-M-WITHOUT-DEV 」であった場合のＣＰＵ３５の処理について説明する。
図６は、実機未使用で「リハーサルMovie 」ファイルを作成する場合に利用するイメージ画像の一例を示した図である。（Ａ）はＶＴＲを、（Ｂ）はＳＳ−静止画を、（Ｃ）はＣＧ−文字を、（Ｄ）はカメラ画像を、それぞれ意味している。
【００５２】
ＨＤ３３には図６に示したようなイメージ画像が予め格納されている。
プレイリストを解析してリストタイプ「REH-M-WITHOUT-DEV 」を認識すると、ＣＰＵ３５は、これらのイメージ画像を使用して「リハーサルMovie 」ファイルを作成する。
【００５３】
図７は、実機未使用で「リハーサルMovie 」ファイルを作成する場合の、画像生成制御部３４の動作手順を示したフローチャートである。
第１の使い方にてリハーサル用動画生成システムを利用する場合、画像生成制御部３４のＣＰＵ３５は、まず処理インデックスをプレイリストの先頭に位置させて（ステップＳ１）から、「リハーサルMovie 」ファイルを新規に開く（ステップＳ２）。処理インデックスの位置しているイベントに関して、そのＤＵＲを取り込み（ステップＳ３）、そのイベントのコマ数（フレーム数）を計算する（ステップＳ４）。その上で、処理中のイベントの素材機に該当するイメージ画像を、ステップＳ４で計算したコマ数分、動画ファイルに追加する（ステップＳ５）。処理インデックスを次のイベントに進め（ステップＳ６）、最終イベントが処理済ならば（ステップＳ７）、「リハーサルMovie 」ファイルの作成を終了する（ステップＳ８）。作成したファイルは、ＳＣＳＩ規格のＩ／Ｆ３７を介してＨＤ３３に格納する。また、最終イベントが処理済でないならば、再度ステップＳ３の処理に進む。
【００５４】
このように、本発明のリハーサル用動画生成システムにより、実際の放送用器材を全く使用せずに、制作予定映像の全体構成を確認できる「リハーサルMovie 」ファイルを生成できる。
【００５５】
次に、通知されたプレイリストのリストタイプが「REH-M-WITH-DEV」であった場合に、ＣＰＵ２１が実機を使用して「リハーサルMovie 」ファイルを作成する手順を説明する。これは、本実施の形態のリハーサル用動画生成システムの第２の使い方である。
【００５６】
図８は、実機使用で「リハーサルMovie 」ファイルを作成する場合の、全体フローチャートである。
画像生成制御部３４のＣＰＵ３５は、解析したプレイリストのリストタイプが「REH-M-WITH-DEV」であった場合、Ｉ／Ｆ３９，２６を介して放送用器材制御装置２０のＣＰＵ２１に、プレイリストを通知する（ステップＳ１１）。次にＣＰＵ３５は、「リハーサルMovie 」ファイルを新規に開き、キャプチャーボード３６を介して動画が入力されるのを待つ（ステップＳ１２）。
【００５７】
放送用器材制御装置２０のＣＰＵ２１は、通知されたプレイリストからＤＵＲテーブルを作成する（ステップＳ１３）。すなわち、プレイリストに記載された各イベントに対し、リハーサルフレーム数（ＲＦ）＝時間比率×イベントＤＵＲ×30の計算を、ワークメモリ２８等を利用して行う。それから、処理インデックスをプレイリストの先頭に位置させる（ステップＳ１４）。
【００５８】
ここでスイッチャ１２には、画像生成装置１３〜１６からそれぞれのイメージ画像が、常時入力されている。ＣＰＵ２１はステップＳ１３にて作成したＤＵＲテーブルを参照し、処理インデックスの位置しているイベントの画像生成装置のデータと、そのリハーサルフレーム数とを取得する。そしてＣＰＵ２１は、取得したデータに基づいた制御用コマンドを設定し（ステップ１５）、スイッチャ１２に通知する（ステップＳ１６）。
【００５９】
その後、ＣＰＵ２１は、時刻信号に同期してリハーサルフレーム数を１ずつ減らし続ける（ステップＳ１７）。リハーサルフレーム数が０になったら（ステップＳ１８）、処理インデックスを次のイベントへ進める（ステップＳ１９）。ここで、最終イベントが処理済であれば（ステップＳ２０）、ＣＰＵ２１は、ＣＰＵ３５に動画生成終了を通知する（ステップＳ２１）。ＣＰＵ３５はステップＳ１２で開いたファイルを閉じて、リハーサル用動画ファイルの生成が終了する（ステップＳ２２）。また、最終イベントが処理済でなければ、再度ステップＳ１５の処理へ進む。
【００６０】
ここで、フローチャートのステップＳ１６にてＣＰＵ２１がスイッチャ１２に通知する制御用コマンドについて説明しておく。
図９は、図２に示した放送用器材制御装置２０のＣＰＵ２１が、Ｉ／Ｆ２２を介してスイッチャ１２に通知する、制御用コマンドのフォーマットを示した図である。
【００６１】
制御用コマンドには設定情報を通知するコマンド６１と、付加情報を通知するコマンド６２とがあり、この二つのコマンド６１，６２は同じ構成を有している。すなわち、ＳＴＸ（スタートオブテキストで０ｘ０２）と、ＢＣ（バイトカウントであり、次のＣＭＤ〜最後のＣＳ迄のバイト数）と、ＣＭＤ（コマンドの種類を示す）と、コマンドに応じた情報と、ＣＳ（チェックサムであり、ＢＣ〜ＣＳの各バイトの総和の下位１バイトが０となる値）とから構成されている。
【００６２】
なお、ここで、ＳＴＸ、ＢＣ、ＣＭＤ、ＣＳはそれぞれ１バイトである。また、０ｘの後の２桁の数字はその数字が１６進表記であることを示し、例えば０ｘ０Ａは十進数の１０を示す。
【００６３】
コマンド６１はスイッチャ１２のクロスポイントを変更する、つまり入力信号を切り替える設定を行うためのもので、例えば、０ｘ６０ならば「BUS Sense 」、・・・、０ｘ８０ならば「Transition Start(Preset BUS->Program BUS) 」、０ｘ８１ならば「Program BUS Set 」、０ｘ８２ならば「Preset BUS Set」、０ｘ８３ならば「Effect BUS Set」、０ｘ８４ならば「Transition Speed Set」を意味している。
【００６４】
本実施の形態ではスイッチャ１２による画像切替を、カットイン／カットアウトを前提に考えているが、Transition Time を変更することで、ミックス等の効果を伴う画像切替も可能である。その場合には次のイベントのためのクロスポイントの設定を「Preset BUS Set」にて行い、「Transition Start」にて切り替える。
【００６５】
このように、本発明のリハーサル用動画生成装置により、実際の放送用器材を使用して、任意の時間に圧縮した「リハーサルMovie 」ファイルの生成が可能である。
【００６６】
次に、図３に示した映像制作案呼び出し画面４０において、リハーサルMovie 再生ボタン４８が選択された場合の説明を行う。
図１０は、作成した「リハーサルMovie 」ファイルの再生を行うリハーサル用動画表示画面の様子を示した図である。
【００６７】
リハーサル用動画表示画面７０には、番組名表示７１と、時間比率表示７２と、リハーサルウィンドウ７３と、プレイリスト７６とが表示され、終了ボタン７７が設置されている。
【００６８】
ここでは図３に示した番組ＡＡＡＡＡＡＡＡについて、時間比率１：１０にて生成した「リハーサルMovie 」ファイルの再生の様子を示している。
リハーサルウィンドウ７３には、イメージウィンドウ７４と、スクロールバー７５とが含まれている。イメージウィンドウ７４には、生成された「リハーサルMovie 」ファイルに記録されたイメージ画像が表示される。また、スクロールバー７５には、イメージ画像の進行状況が表示されていると同時に、頭出しボタン７５ａと、戻しボタン７５ｂと、スクロールボタン７５ｃと、進みボタン７５ｄと、最終ボタン７５ｅとが配置されている。これらのボタンによりイメージ画像の進行状況を前後させることができる。
【００６９】
プレイリスト７６には、図３に示したプレイリスト４２の抜粋が表示されている。ここでは、現在イメージウィンドウ７４に表示されている部分が他の部分とは別の色で表示され、プレイリスト７６のどの部分のリハーサルが行われているのか、操作者に判るようになっている。
【００７０】
終了ボタン７７が選択されると、リハーサル用動画表示画面７０の表示は終了する。
このように、従来から使用されている放送用器材制御装置に本発明のリハーサル用動画生成装置を適用することにより、リハーサル用動画生成の際、実際に放送に使用する器材からの画像と、ハードディスク装置に格納したイメージ画像とから、どちらを使用するか選択することができる。また、どちらを使用する場合にも、制作予定映像を任意の時間長に圧縮した、リハーサル用動画を生成することができるため、人材および器材を有効に活用できる。
【００７１】
上記の説明では映像についてのみ説明したが、サンプリング等の手段を用いて音声情報を含めたリハーサル用動画を生成することもできる。
また、本実施の形態では、「リハーサルMovie 」を一旦ファイル形式にしてＨＤに格納し、その後閲覧するようにしたが、生成と同時に表示させてもよい。
【００７２】
更に、本実施の形態ではＮＴＳＣ方式に対応することを前提としたが、ＰＡＬ（Phase Alternation by Line ）方式等に対応させることも可能である。
【００７３】
【発明の効果】
以上説明したように本発明のリハーサル用動画生成装置では、制作予定映像からリハーサル用時間割を作成し、提供されるイメージ画像を繋ぎ合わせて任意の時間長に圧縮されたリハーサル用動画を生成するため、特に構成確認のためのリハーサルを行う必要がなく、放送用器材を有効に活用することができる。
【図面の簡単な説明】
【図１】本発明のリハーサル用動画生成システムの原理構成図である。
【図２】本発明のリハーサル用動画生成システムの第１の実施の形態を示す構成ブロック図である。
【図３】図２に示した表示部に表示される、映像制作案呼び出し画面の一例を示す図である。
【図４】図３に示した映像制作案呼び出し画面において、リハーサルMovie 作成ボタンを選択した場合に表示されるリハーサルMovie 設定画面を示した図である。
【図５】番組表から作成されるプレイリストの構造を示した図であって、（Ａ）は放送用プレイリスト、（Ｂ）は実機使用、時間比率指定「１：１０」に設定された「リハーサルMovie 」ファイル作成用プレイリストを示す。
【図６】実機未使用で「リハーサルMovie 」ファイルを作成する場合に利用するイメージ画像の一例を示した図である。（Ａ）はＶＴＲを、（Ｂ）はＳＳ−静止画を、（Ｃ）はＣＧ−文字を、（Ｄ）はカメラ画像を、それぞれ意味している。
【図７】実機未使用で「リハーサルMovie 」ファイルを作成する場合の、画像生成制御部３４の動作手順を示したフローチャートである。
【図８】実機使用で「リハーサルMovie 」ファイルを作成する場合の、全体フローチャートである。
【図９】図２に示した放送用器材制御装置のＣＰＵが、Ｉ／Ｆを介してスイッチャに通知する、制御用コマンドのフォーマットを示した図である。
【図１０】作成した「リハーサルMovie 」ファイルの再生を行うリハーサル用動画表示画面の様子を示した図である。
【符号の説明】
１……イメージ画像提供手段、２……映像制作案保持手段、２ａ……映像制作案、３……時間圧縮率設定手段、４……時間割作成手段、４ａ……リハーサル用時間割、５……動画生成手段。
【図１】
0003831989.tif 000002
【図２】
0003831989.tif 000003
【図３】
0003831989.tif 000004
【図４】
0003831989.tif 000005
【図５】
0003831989.tif 000006
【図６】
0003831989.tif 000007
【図７】
0003831989.tif 000008
【図８】
0003831989.tif 000009
【図９】
0003831989.tif 000010
【図１０】
0003831989.tif 000011